(57)【要約】【課題】寝たきり老人や足の不自由な人が生活する居室内に移動可能に設置できる介護用水洗トイレの他、従来以上に衛生的で撤去も容易な仮設トイレを提供する。【解決手段】水洗トイレ１は、便座１１と便鉢１２とが設けられた便器本体ユニット１０と、便器本体ユニット１０を着脱自在に支持するポータブル土台部１５と、ポータブルポンプユニット２０とを備える。便器本体ユニット１０とポータブルポンプユニット２０とは第１給排水部３０によって連結され、ポータブルポンプユニット２０と既存の給排水設備とは、第２給排水部４０によって連結される。便鉢１２は、第１開口部１３ａを備えたボール部１３と、ボール部１３の上部に設けられかつ第１開口部１３ａよりも便鉢１２の中央側に狭まった第２開口部１４ａを備えた止水部１４と、を備えることが好ましい。また、便座１１と便鉢１２の少なくとも一方が樹脂成形品であることが好ましい。【選択図】図１
0003216374.tif 000002
【実用新案登録請求の範囲】
【請求項１】
便座と便鉢とが設けられた便器本体ユニットと、
前記便器本体ユニットを着脱自在に支持するポータブル土台部と、
前記便器本体ユニットへ給水を行うとともに前記便器本体ユニットに収容された排泄物の真空吸引を行うポータブルポンプユニットと、
前記便器本体ユニットと前記ポータブルポンプユニットとを連結する第１給排水部と、
前記ポータブルポンプユニットと既存の給排水設備とを連結する第２給排水部と、
を備えることを特徴とする水洗トイレ。
【請求項２】
前記便鉢は、第１開口部を備えたボール部と、前記ボール部の上部に設けられ、かつ、第１開口部よりも前記便鉢の中央側に狭まった第２開口部を備えた止水部とを備えることを特徴とする請求項１に記載の水洗トイレ。
【請求項３】
前記便座と前記便鉢の少なくとも一方が樹脂成形品であることを特徴とする請求項１又は請求項２に記載の水洗トイレ。
【請求項４】
第１給排水部は、第１給水管と第１排水管とを備え、かつ、
第１給水管と第１排水管とは、可撓性を有することを特徴とする請求項１〜３のいずれかに記載の水洗トイレ。
【請求項５】
前記ポータブル土台部は、高さ方向に伸縮自在な枠体を備えることを特徴とする請求項１〜４のいずれかに記載の水洗トイレ。
【請求項６】
前記ポータブル土台部は、前記水洗トイレの滑り止めと、前記水洗トイレが設置される床面の保護を行う土台保護部を備えることを特徴とする請求項１〜５のいずれかに記載の水洗トイレ。
【考案の詳細な説明】
【技術分野】
【０００１】
本考案は、住宅等の室内で移動可能な水洗トイレに関し、より好ましくは、移動可能な介護用水洗トイレに関する。また、本考案は、仮設トイレとしても利用可能である。
【背景技術】
【０００２】
近年、我が国を含む先進諸国では高齢化社会が進んでおり、高齢者の占める割合が高まっている。人は加齢により足腰等が不自由になり、介護が必要となってくる。
【０００３】
介護が必要な寝たきりの老人や身体障害者にとって、日々の生活で最も煩わしく厄介な行為は排泄である。なぜならば、自宅や病院等の便所は、通常、寝室や病室から遠く離れた特定の場所に設置される固定設備であり、要介護者であっても、排泄の為には、ベッドから便所までの移動が伴うことになる。つまり、排泄の毎に、付添人や看護師等の助けを求めることになり、要介護者や患者に多大な精神的苦痛を与えている。
【０００４】
このような問題を解決するための先行技術として、例えば、移動できる介護用トイレが提案されている（特許文献１を参照）。特許文献１に開示の介護用トイレは、便器と、便器の真下に、排泄物を一時的に貯蔵可能なタンクと、タンク内の排泄物から発生する異臭を除去する脱臭装置と、を備えたものであり、要介護者の居住する室内の所望の場所（例えば、ベッド脇）に移動可能に設置される。
【０００５】
しかしながら、このようなトイレは、水洗式では無いために、タンク内に一時的に貯蔵された排泄物を定期的に片付ける作業を介護者に強いるのみならず、異臭も完全に除去できるとは言い難く清潔感に欠けるものであった。
【０００６】
ところで、建設現場やイベント会場等に使用される仮設トイレに関しても、従来の仮設トイレは水洗式で無かったり、真空吸引式で無かったりすることが多く、清潔で快適な空間とは言い難く、より衛生的でありながら撤去も容易なトイレが望まれていた。
【先行技術文献】
【特許文献】
【０００７】
【特許文献１】特開２０１０−１１９８２１号公報
【考案の概要】
【考案が解決しようとする課題】
【０００８】
本考案は、従来の実情に鑑みて提案されたものであり、寝たきり老人や足の不自由な人の居室内に移動可能に設置できる水洗トイレを提供することを目的とする。
【０００９】
また、本考案のもう一つの目的は、従来のトイレよりも衛生的でありながら撤去も容易な仮設トイレを提供することである。
【課題を解決するための手段】
【００１０】
本考案者らは、鋭意検討した末、便器本体ユニットと、便器本体ユニットを着脱自在に支持するポータブル土台部と、ポータブルポンプユニットと、便器本体ユニットとポータブルポンプユニットとを連結する給排水部とを用意し、その他の設備には既存の住宅設備を利用すれば、要介護者等の室内に移動可能な水洗トイレを安価かつ容易に設置・改修できることに想到し、本考案を完成するに至った。
【００１１】
すなわち、本考案は、例えば、次の構成・特徴を採用するものである。
（態様１）
便座と便鉢とが設けられた便器本体ユニットと、
前記便器本体ユニットを着脱自在に支持するポータブル土台部と、
前記便器本体ユニットへ給水を行うとともに前記便器本体ユニットに収容された排泄物の真空吸引を行うポータブルポンプユニットと、
前記便器本体ユニットと前記ポータブルポンプユニットとを連結する第１給排水部と、
前記ポータブルポンプユニットと既存の給排水設備とを連結する第２給排水部と、
を備えることを特徴とする水洗トイレ。
（態様２）
前記便鉢は、第１開口部を備えたボール部と、前記ボール部の上部に設けられ、かつ、第１開口部よりも前記便鉢の中央側に狭まった第２開口部を備えた止水部とを備えることを特徴とする態様１に記載の水洗トイレ。
（態様３）
前記便座と前記便鉢の少なくとも一方が樹脂成形品であることを特徴とする態様１又は態様２に記載の水洗トイレ。
（態様４）
第１給排水部は、第１給水管と第１排水管とを備え、かつ、
第１給水管と第１排水管とは、可撓性を有することを特徴とする態様１〜３のいずれかに記載の水洗トイレ。
（態様５）
前記ポータブル土台部は、高さ方向に伸縮自在な枠体を備えることを特徴とする態様１〜４のいずれかに記載の水洗トイレ。
（態様６）
前記ポータブル土台部は、前記水洗トイレの滑り止めと、前記水洗トイレが設置される床面の保護を行う土台保護部を備えることを特徴とする態様１〜５のいずれかに記載の水洗トイレ。
【考案の効果】
【００１２】
本考案によれば、便器本体ユニットとは別体で構成され、便器本体ユニットに着脱自在に支持するポータブル土台部を有することから、これらの部材が一体で形成された通常の陶器製の便器に比べて、室内への据付が容易であるだけでなく、一旦据え付けた後もユーザーの希望に応じた場所へ再度移動させることもできるのである。
【００１３】
更に、本考案の好適な態様によれば、便座と便鉢の少なくとも一方が樹脂成形品であることから、便器本体ユニットが一層軽量化し、据付の為の水洗トイレの運搬作業や据付後の移動作業が極めて容易となる。
【００１４】
更に、本考案の好適な態様によれば、第１給排水部は、第１給水管と第１排水管とを備え、かつ、第１給水管と第１排水管とは可撓性を有することから、据付後の再移動が一層容易となる。
【００１５】
また、本考案の水洗トイレでは、第１・第２給排水部とポータブルポンプユニットも構成部材として必要となるが、これらの構成部材より外部の給排水設備や電源等は既存の設備を利用することを前提とする。これにより、本考案に必須の構成部材の点数は大幅に少なくなり、本考案の水洗トイレを一般家庭の居室等に容易に追加設置すること（つまり、改修作業）が可能となる。また、要介護者の死亡等により本考案の水洗トイレが不要になり、これを撤去する際にも、居室と室外との接続口を塞ぐだけで、当初の居室空間を取り戻すことができるようになる。
【図面の簡単な説明】
【００１６】
【図１】本考案の水洗トイレの各構成部材を説明した図である。
【図２】本考案の水洗トイレの主要部分を示した分解斜視図である。
【図３】本考案の水洗トイレの使用例（介護用トイレ）を示した図である。
【考案を実施するための形態】
【００１７】
以下、本考案を図面に示す実施例に基づき説明するが、本考案は、下記の具体的な実施例に何等限定されるものではない。なお、各図において同一又は対応する要素には同一符号を用いる。
【実施例】
【００１８】
図１は、本考案の水洗トイレ１の各構成部材を説明した図である。図２は、本考案の水洗トイレ１の主要部分を示した分解斜視図である。図３は、本考案の水洗トイレ１の使用例（介護用トイレ）を示した図である。
【００１９】
水洗トイレ１は、便器本体ユニット１０と、便器本体ユニット１０とは別体で構成されかつ便器本体ユニット１０に着脱自在に支持するポータブル土台部１５とを備えることを特徴とする。これにより、これらの部材１０，１５が一体で形成された従来の陶器製の便器に比べて、室内Ｒへの据付が容易であるだけでなく、水洗トイレ１を一旦据え付けた後もユーザーの希望に応じた場所へ再度移動させることもできるようになる。
【００２０】
（便器本体ユニット）
なお、便器本体ユニット１０には、便座１１と便鉢１２とが設けられる。便座１１には、一般に入手可能な市販の既製品を使用しても良く、ユーザーの好みに応じて、普通便座、暖房便座、洗浄便座等を選択することが可能である。
【００２１】
（便鉢）
また、便鉢１２は、図２に示すように、第１開口部１３ａを備えたボール部１３と、このボール部１３の上部に設けられかつ第１開口部１３ａよりも便鉢１２の中央側に狭まった第２開口部１４ａを備えた止水部１４と、を備えることが好ましい。止水部１４は平板状を成すことがさらに好ましい。上述のように便鉢１２を構成すれば、本考案の水洗トイレ１の使用時に、止水部１４の外縁部１４ｂの裏面にて、ボール部１３の内面１３ｆから跳ね返った小便等が外部へ飛散することを抑止することが可能となる。
【００２２】
また、便座１１と便鉢１２の少なくとも一方が樹脂成形品であることが好ましく、通常、容積の大きくなるボール部１３を含んだ便鉢１２が樹脂成形品であることが特に好ましい。これにより、便器本体ユニット１０の大幅な軽量化が達成され、要介護者の室内に据え付けた後でも、本考案の水洗トイレ１を要介護者の希望に応じた場所に随時、一人でも容易に移動することができるようになる。
【００２３】
（ポータブル土台部）
また、ポータブル土台部１５は、梁部１６と、高さ方向に伸縮自在な（図示では、折り畳み可能な）枠体１７とを備えることが好ましい。ここで、梁部１６は、図示では平面視コの字状を成すが、必ずしもこれに限定されず、例えば、平面視で中空部を有した矩形状を成すようにしてもよい。但し、折り畳み機能は必須では無く、梁部１６のみで便器本体ユニット１０を支持するようにしてもよい。
【００２４】
（高さ方向に伸縮自在な枠体及び梁部）
図示の枠体１７は、梁部１６の両側１６ａ，１６ａにて、それぞれ２本の支持棒１７ａ，１７ｂが第１ヒンジ１７ｃ１にて枢動可能に交差する。一方の支持棒１７ａの先端１７ａ１は第２ヒンジ１７ｃ２にて枢動可能に梁部１６に接続され、他方の支持棒１７ｂの先端１７ｂ１は第３ヒンジ１７ｃ３にて枢動可能に梁部１６に接続される。これにより、枠体１７は上下（高さ）方向に伸縮し、折り畳むことができる。
【００２５】
（枠体の変形例）
なお、図示の折り畳み構造は単なる一例であり、必ずしもこれに限定されず、高さ方向に伸縮自在な他の公知の構成を採用可能である。例えば、枠体１７として、梁部１６と同様に平面視でコの字状を形成したものを複数個（多数段）用意してもよく、これらを高さ方向に増減させることで、枠体１７（ひいては便座１１）の高さを調節することができるようになる。また、その他の変形例として、枠体１７に図示しない高さ調節用のネジが設けられるようにしてもよく、このネジを回転させることにより、枠体１７の高さを変更してもよい。
【００２６】
（構成部材同士の組付方法）
便座１１と、ボール部１３と、止水部１４と、梁部１６とは、一体的に組み付け可能である。例えば、便座１１には、組付用突出部１１ｃが設けられ、ボール部１３と、止水部１４と、梁部１６とには、組付用突出部１１ｃの一部を挿通可能な組付用穴１３ｃ，１４ｃ，１６ｃが設けることで一体化することができる。また、ボール部１３の外縁部１３ｂの一部が、梁部１６の上面１６ａに適合した形状・寸法を成すことが好ましく、これにより、ボール部１３の外縁部１３ｂの周囲が梁部１６の上面１６ａによって保持され、便器本体ユニット１０の自重やユーザーの体重による圧力の局所的な集中を回避することができる。
【００２７】
（土台保護部）
また、ポータブル土台部１５は、水洗トイレ１の滑り止めと、水洗トイレ１が設置される床面Ｆの保護を行う土台保護部１８を備えることがさらに好ましい。土台保護部１８は、例えば、フローリング用の素材やクッションフロア用の素材を使用した床保護板を採用してもよい。
【００２８】
（滑り止め部材）
また、図２に示すように、土台保護部１８の表面１８ａには、少なくとも一対の滑り止め部材１９ａ，１９ｂを並列に設置してもよい。一方の滑り止め部材１９ａは一方の支持棒１７ａの基端１７ａ２に係止し、他方の滑り止め部材１９ｂは他方の支持棒１７ｂの基端１７ｂ２に係止するため、枠体１７の折り畳み（可動域）を一時的に制限することができる。なお、この滑り止め部材１９を複数対用意すれば、折り畳みの度合いを変化させて枠体１７を一時的に固定できるため、ユーザーの要望に応じて便座１１の高さを随時調節することが可能となる。
【００２９】
（ポータブルポンプユニット）
また、本考案の水洗トイレ１は、ポータブルポンプユニット２０を備える。ポータブルポンプユニット２０は、便器本体ユニット１０へ給水を行うとともに便器本体ユニット１０（つまり、ボール部１３の内面１３ｆ）に収容された排泄物（図示せず）の真空吸引を行う。ポータブルポンプユニット２０は、任意の場所に設置可能な筐体２１を備えており、この筐体２１内に、ポンプ機能を発揮するための公知の部材、例えば、ポンプ本体２２、給排水を制御するリレースイッチ２３、後述する第１給排水部３０を介して便器本体ユニット１０から排出された異物を除去するためのフィルタ２４等が搭載されている。
【００３０】
（第１給排水部）
また、便器本体ユニット１０とポータブルポンプユニット２０とは、第１給排水部３０によって連結されている。第１給排水部３０は第１給水管３１と第１排水管３２とを備える。ここで、第１給水管３１は、ポータブルポンプユニット２０と、ボール部１３に設けられた給水口１３ｄとを接続し、既存の給排水設備（図示しない給水源）から、第２給排水部４０及びとポータブルポンプユニット２０を介して、ボール部１３に給水する。
【００３１】
一方、第１排水管３２は、ボール部１３に設けられた排水口１３ｅと、ポータブルポンプユニット２０とを接続し、ボール部１３に収容された排泄物（図示せず）を、給水時の所定時間後に排水口１３ｅから第１排水管３２、ポータブルポンプユニット２０、第２給排水部４０を介して給排水設備（例えば、後述の屋外排水管４６）に導く。なお、第１排水管３２の先端には、ボール部１３に設けられた排水口１３ｅへ着脱用意な継ぎ手３２ａが設けられていることが好ましい。
【００３２】
なお、上記役割を十分に果たすため、第１給水管３１と第１排水管３２とは耐圧性を有することが好ましい。また、第１給水管３１と第１排水管３２とは可撓性を有することも好ましい。これにより、ポータブルポンプユニット２０の移動自由度と相俟って、据付後の水洗トイレ１の移動自由度をさらに高めることが可能となる。
【００３３】
（第２給排水部）
また、ポータブルポンプユニット２０と、既存の給排水設備（図示しない給水源や屋外排水管４６）とは、第２給排水部４０によって連結されている。ここで、第２給排水部４０も、第１給排水部３０と同様に、第２給水管４１と第２排水管４２とを備えていることが好ましい。なお、第２給水管４１の室外Ｏ側の構造や既設の給水設備は、公知であり、図示せず、その説明を省略する。
【００３４】
（第２給排水部から既存排水設備への接続方法）
水洗トイレ１を設置するための改修工事の際に、図１に示すように、室内Ｒと室外Ｏとを区画する壁Ｗに接続口４３及び接続口４３の外周を覆う開口スリーブ部４４と、既存の給排水設備の一つである屋外排水管４６から分岐された分岐排水管４５とを用意すれば、第２排水管４２の一部は、開口スリーブ部４４に挿通されて外部に案内され、そこで分岐排水管４５と接続する。
【００３５】
これにより、水洗トイレ１のボール部１３に収容された排泄物（図示せず）は、排水口１３ｅから吸引され、第１排水管３１、ポータブルポンプユニット２０、及び第２排水管４２へ導かれて、最終的には室内Ｒから分岐排水管４５及び屋外排水管４６へ排出されることになる。
【００３６】
以上のように、本考案では、外部の給排水設備や電源等は既存の設備を利用することを前提とする。これにより、本考案に必須の構成部材の点数は大幅に少なくなり、本考案の水洗トイレ１を一般家庭の居室等に極めて簡単に追加設置すること（つまり改修作業）が可能となる。
【００３７】
（水洗トイレの撤去時のメリット）
また、要介護者の死亡等のため居室への設置後に本考案の水洗トイレ１が不要になり、これを撤去する際にも、居室Ｒと室外Ｏとの接続口４３を、閉じ蓋（例えば、エアコン用室外機用ホース口を閉鎖するための蓋等）を利用して塞ぐだけで、当初の居室空間を取り戻すことができるようになる。
【００３８】
以上、本考案を、添付図面の実施例に基づいて詳しく説明したが、本考案の趣旨を逸脱しなければ、必ずしも図示の構成等に限定されないことに留意されたい。
【００３９】
本考案の水洗トイレ１は、寝たきり老人等の要介護者や足腰の不自由な方のために利用することを前提としたが、必ずしもこれに限定されないことにも留意されたい。例えば、本考案の水洗トイレ１は、健常者のためにも利用できる。例えば、建設現場やイベント会場等の仮設トイレとしても利用可能である。通常（従来）の仮設トイレは水洗式で無かったり、真空吸引式で無かったりすることが多く、清潔で快適な空間とは言い難いが、本考案の水洗トイレを導入することで、工事やイベントの利用期間中は快適なトイレ空間を提供できる一方、利用期間終了後は簡単に撤去でき、元の空間に戻すことが可能となる。
【産業上の利用可能性】
【００４０】
本考案によれば、便器本体ユニットとは別体で構成され、便器本体ユニットに着脱自在に支持するポータブル土台部を有することから、これらの部材が一体で形成された通常の陶器製の便器に比べて、室内への据付が容易であるだけでなく、一旦据え付けた後もユーザーの希望に応じた場所へ再度移動させることもできる。
【００４１】
また、本考案の水洗トイレでは、第１・第２給排水部とポンプユニットも構成部材として必要となるが、これらの構成部材より外部の給排水設備や電源等は既存の設備を利用することを前提とする。これにより、本考案に必須の構成部材の点数は大幅に少なくなり、本考案の水洗トイレを一般家庭の居室等に容易に追加設置すること（つまり改修作業）が可能となる。また、要介護者の死亡等により本考案の水洗トイレが不要になり、これを撤去する際にも、居室と室外との接続口を塞ぐだけで、当初の居室空間を取り戻すことができるようになる。
【００４２】
このように、本考案は、産業上の利用価値及び産業上の利用可能性が非常に高い。
【符号の説明】
【００４３】
１    水洗トイレ
１０    便器本体ユニット
１１    便座
１２    便鉢
１３    ボール部
１３ａ，１３ｂ，１３ｃ    ボール部の第１開口部，外縁部，取付用穴
１３ｄ，１３ｅ，１３ｆ    ボール部の給水口，排水口，内面
１４    止水部
１４ａ，１４ｂ    止水部の第２開口部，外縁部
１５    ポータブル土台部
１６    梁部
１６ａ，１６ｂ    梁部の両側
１７    枠体
１７ａ，１７ｂ    支持棒
１７ａ１，１７ａ２    一方の支持棒の先端，基端
１７ｂ１，１７ｂ２    他方の支持棒の先端，基端
１７ｃ１，１７ｃ２，１７ｃ３    第１・第２・第３ヒンジ
１８    土台保護部
１９ａ，１９ｂ    滑り止め部材
２０    ポータブルポンプユニット
２１    筐体
２２    ポンプ本体
２３    リレースイッチ
２４    フィルタ
３０    第１給排水部
３１    第１給水管
３２    第１排水管
３２ａ    継ぎ手
４０    第２給排水部
４１    第２給水管
４２    第２排水管
４３    接続口
４４    開口スリーブ部
４５    分岐排水管
４６    屋外排水管
Ｆ，Ｒ，Ｏ，Ｗ    床面，室内、室外、壁
【図１】
0003216374.tif 000003
【図２】
0003216374.tif 000004
【図３】
0003216374.tif 000005